(57)【要約】【課題】  各原稿搬送ローラの周速差による原稿搬送速度の変動を抑え、読取誤差及びコピー倍率誤差をなくすことができる原稿搬送読取装置を提供する。【解決手段】  シート原稿を搬送しながら読み取る原稿搬送読取装置において、原稿搬送経路に配置された複数の原稿搬送ローラ（原稿挿入ローラ１、原稿駆動ローラ２、原稿排紙ローラ３）のうち、原稿読取直後位置の原稿駆動ローラ２の原稿搬送力を他の原稿搬送ローラ（原稿挿入ローラ１、原稿排紙ローラ３）の原稿搬送力よりも大きく設定した。【選択図】        図１
2006082939.tif 000002
【特許請求の範囲】
【請求項１】
原稿搬送経路に沿ってシート原稿を搬送しながら読み取る原稿搬送読取装置において、原稿搬送経路に沿って配置された複数の原稿搬送ローラのうち、原稿読取位置直後の原稿搬送ローラの原稿搬送力を他の原稿搬送ローラの原稿搬送力よりも大きく設定したことを特徴とする原稿搬送読取装置。
【請求項２】
請求項１の原稿搬送読取装置において、複数の原稿搬送ローラとして、搬送方向上流側から順に、原稿挿入ローラ、原稿読取位置直後の原稿駆動ローラ、原稿排紙ローラを配置し、その周速を、原稿挿入ローラ＜原稿駆動ローラ＜原稿排紙ローラに設定したことを特徴とする原稿搬送読取装置。
【請求項３】
請求項２の原稿搬送読取装置において、前記原稿駆動ローラと前記原稿排紙ローラを、トルクリミッタを介して連結駆動したことを特徴とする原稿搬送読取装置。
【請求項４】
請求項２の原稿搬送読取装置において、各原稿搬送ローラの材質を同一とした時に、前記原稿駆動ローラに従動する従動コロまたは従動ローラの加圧力を他より大きくしたことを特徴とする原稿搬送読取装置。
【請求項５】
請求項２の原稿搬送読取装置において、原稿駆動ローラの搬送摩擦力を他より大きくしたことを特徴とする原稿搬送読取装置。
【請求項６】
請求項１乃至５のいずれか一項に記載の原稿搬送読取装置を備えたことを特徴とする画像形成装置。
【発明の詳細な説明】
【技術分野】
【０００１】
本発明は、シート原稿を搬送しながら読み取る原稿搬送読取装置、及びそれを備えた画像形成装置に関する。
【背景技術】
【０００２】
シート原稿を搬送しながら読み取るシートスルー式の原稿搬送読取装置においては、原稿搬送経路に複数の原稿搬送ローラが配置されている。そして原稿搬送方向の下流側に向かう程、搬送ローラの搬送速度を速くして、ローラ間で原稿が弛まないようにしている。
【発明の開示】
【発明が解決しようとする課題】
【０００３】
しかし、搬送ローラ間の周速度差が大きくなると原稿搬送速度が変化してしまい、読取誤差及びコピー倍率誤差が発生してしまうという問題が発生する。
本発明は、各原稿搬送ローラの周速差による原稿搬送速度の変動を抑え、読取誤差及びコピー倍率誤差をなくすことができる原稿搬送読取装置を提供することを目的とする。
【課題を解決するための手段】
【０００４】
上記目的を達成するために、請求項１記載の発明は、原稿搬送経路に沿ってシート原稿を搬送しながら読み取る原稿搬送読取装置において、原稿搬送経路に沿って配置された複数の原稿搬送ローラのうち、原稿読取位置直後の原稿搬送ローラの原稿搬送力を他の原稿搬送ローラの原稿搬送力よりも大きく設定したことを特徴とする。
請求項２記載の発明は、請求項１の原稿搬送読取装置において、複数の原稿搬送ローラとして、搬送方向上流側から順に、原稿挿入ローラ、原稿読取直後位置の原稿駆動ローラ、原稿排紙ローラを配置し、その周速を、原稿挿入ローラ＜原稿駆動ローラ＜原稿排紙ローラに設定した原稿搬送読取装置を主要な特徴とする。
請求項３記載の発明は、請求項２の原稿搬送読取装置において、原稿駆動ローラと原稿排紙ローラを、トルクリミッタを介して連結駆動した原稿搬送読取装置を主要な特徴とする。
請求項４記載の発明は、請求項２の原稿搬送読取装置において、各原稿搬送ローラの材質を同一とした時に、原稿駆動ローラに従動する従動コロまたは従動ローラの加圧力を他より大きくした原稿搬送読取装置を主要な特徴とする。
請求項５記載の発明は、請求項２の原稿搬送読取装置において、原稿駆動ローラの搬送摩擦力を他より大きくした原稿搬送読取装置を主要な特徴とする。
請求項６記載の発明は、請求項１乃至５のいずれか一項に記載の原稿搬送読取装置を備えた画像形成装置を主要な特徴とする。
【発明の効果】
【０００５】
本発明によれば、シート原稿を搬送しながら読み取る原稿搬送読取装置において、原稿搬送経路に配置された複数の原稿搬送ローラのうち、原稿読取直後位置の原稿搬送ローラの原稿搬送力を他の原稿搬送ローラの原稿搬送力よりも大きく設定したことにより、所期の目的を達成することができる。
【発明を実施するための最良の形態】
【０００６】
以下、本発明の実施形態を図１、２を参照して説明する。
図１は本発明の実施形態に係る画像形成装置の構成図である。図２は図１に示す原稿搬送読取装置の駆動系を示す斜視図である。
図１に示すように、プリンタ１００の上に本発明の実施形態の原稿搬送読取装置２００が載置されている。原稿搬送読取装置２００は、シート原稿の搬送経路に沿って、原稿搬送ローラ（原稿挿入ローラ（対）１、原稿駆動ローラ（対）２、原稿排紙ローラ（対）３）が配置されている。（原稿挿入ローラ１と、原稿駆動ローラ２との間には、密着イメージセンサ部６が配置されている。以下その構成を動作と併せて説明する。
本発明の特徴的な構成は、原稿搬送経路に沿ってシート原稿を搬送しながら読み取る原稿搬送読取装置において、原稿搬送経路に沿って配置された複数の原稿搬送ローラのうち、原稿読取位置直後の原稿搬送ローラの原稿搬送力を他の原稿搬送ローラの原稿搬送力よりも大きく設定した点にある。
原稿面を表にしてシート原稿を挿入口から搬送経路内に挿入（Ａ方向）すると、原稿挿入ローラ１の直上流側に配置したサイズ検知部４からの原稿検知信号によりステッピングモータ５が回転し、シート原稿は原稿挿入ローラ１にくわえ込まれ、原稿駆動ローラ２と密着イメージセンサ部６に搬送される。密着イメージセンサ部６で原稿面が読み取られる。その後原稿駆動ローラ２に搬送された原稿は切替機構により後方（Ｂ方向）に排紙され、あるいは原稿排紙ローラ３により上方（Ｃ方向）に排紙される。
ステッピングモータ５による原稿搬送の駆動力は、タイミングベルト７を介して各搬送ローラ（原稿挿入ローラ１、原稿駆動ローラ２）に伝達される。原稿挿入ローラ１は搬送クラッチ８を介してその駆動をオンオフ制御される。さらに、ステッピングモータ５による原稿搬送の駆動力は、ギア、タイミングベルトを介して原稿排紙ローラ３に伝達される。尚、各搬送ローラは、図２に示すように芯金により複数のゴムコロの軸心を支持した構成を備え、櫛団子状となっている。
【０００７】
本実施形態では、ステッピングモータ５は、原稿搬送速度になるように回転速度が決められ制御されている。変倍時での回転速度は、等倍時を１００％とした場合、等倍時の回転速度÷変倍率で制御され、例えば１００％時１０ｒｐｍとした場合、５０％時では２０ｒｐｍで回転することになる。
各搬送ローラの周速は、原稿挿入ローラ１＜原稿駆動ローラ２＜原稿排紙ローラ３のように、搬送経路の下流側に向かうに従い順次周速を若干早くしており、原稿がローラ間で弛まないようにしている。
本発明の他の特徴は、各原稿搬送ローラ（原稿挿入ローラ１、原稿駆動ローラ２、原稿排紙ローラ３）のローラ本体を構成する材質を同一とした時に、前記原稿駆動ローラに従動する従動コロまたは従動ローラの加圧力を他より大きくした点にある。
即ち、各搬送ローラ（対）の搬送力は、従動ローラまたは従動コロの押圧力が強いほど大きくなる。本実施形態では、原稿駆動ローラ２の押圧力を一番強くしている。従って原稿駆動ローラ２は、原稿挿入ローラ１及び原稿排紙ローラ３と比較してその搬送力が一番大きい。搬送ローラの表面摩擦抵抗を高くしても搬送力が大きくなる。
本発明の他の特徴は、原稿駆動ローラ２と原稿排紙ローラ３を、トルクリミッタを介して連結駆動した点にある。即ち、原稿駆動ローラ２の下流側に配置された原稿排紙ローラ３の駆動伝達ギア９には、トルクリミッタが装備されており、原稿駆動ローラ２と原稿排紙ローラ３間で原稿が張り過ぎて原稿駆動ローラ２の搬送トルクよりも大きい負荷トルクが原稿排紙ローラ３に掛かった時には、トルクリミッタが作動し駆動伝達ギア９と原稿排紙ローラ３間がスリップし、原稿排紙ローラ３による速度アップが発生しないようにしている。
【図面の簡単な説明】
【０００８】
【図１】本発明の実施形態に係る画像形成装置の構成図。
【図２】図１に示す原稿搬送読取装置の駆動系を示す斜視図。
【符号の説明】
【０００９】
１  原稿挿入ローラ、２  原稿駆動ローラ、３  原稿排紙ローラ、５  ステッピングモータ
【図１】
2006082939.tif 000003
【図２】
2006082939.tif 000004